(57)【特許請求の範囲】
【請求項１】
両側の架構脚部が外側へ変位可能に支持される架構の中間部を仮設支柱によって支持しながら施工する架構の施工方法において、
前記架構の前記中間部を支持する前記仮設支柱の支持を解除する工程と、
前記仮設支柱の支持解除に伴う両側の前記架構脚部の外側への変位量に応じて、両側の前記架構脚部を連結する引張材を緊張させることにより、該架構脚部の外側への変位をそれぞれ規制する工程と、
を備える架構の施工方法。
【請求項２】
前記引張材は、前記架構脚部間に配置されたＰＣ連結梁を軸方向に圧縮させた状態で該ＰＣ連結梁の両端部に固定されると共に、両端側が前記架構脚部にそれぞれ貫通され、
前記仮設支柱の支持解除に伴い、両側の前記架構脚部に対して前記引張材の両端側をそれぞれ引っ張ることにより該架構脚部の外側への変位を規制すると共に、前記ＰＣ連結梁を軸方向に伸長させた状態で前記ＰＣ連結梁の両端部と前記架構脚部とをそれぞれ接合する、
請求項１の記載の架構の施工方法。
【発明の詳細な説明】
【技術分野】
【０００１】
本発明は、架構の施工方法に関する。
【背景技術】
【０００２】
アーチと、アーチの両側の脚部を連結する引張線材とを備えるアーチ構造が知られている（例えば、特許文献１，２参照）。
【先行技術文献】
【特許文献】
【０００３】
【特許文献１】特開平６−１２９０４７号公報
【特許文献２】特開平１０−１８３７６７号公報
【発明の概要】
【発明が解決しようとする課題】
【０００４】
ところで、アーチ等の架構の施工方法としては、ベント工法が知られている。このベント工法では、例えば、アーチを長手方向に分割した複数の分割ユニットを、昇降ジャッキが取り付けられた仮設支柱（ベント）上で接合することによりアーチを形成する。次に、各仮設支柱の昇降ジャッキを徐々に下げ、仮設支柱で支持していたアーチの自重をアーチの両側のアーチ脚部に流すことによりアーチを自立させる。
【０００５】
この際、両側のアーチ脚部には、外側へ向かうスラスト力がそれぞれ発生する。このスラスト力によって両側のアーチ脚部が外側へ開くと、例えば、アーチの仕上げ材やアーチの脚部を支持する支持部が破損等する可能性がある。
【０００６】
本発明は、上記の事実を考慮し、架構に対する仮設支柱の支持解除に伴う架構の両側の架構脚部の開きを抑制することを目的とする。
【課題を解決するための手段】
【０００７】
第１態様に係る架構の施工方法は、両側の架構脚部が外側へ変位可能に支持される架構の中間部を仮設支柱によって支持しながら施工する架構の施工方法において、両側の前記架構脚部を連結する引張材を、前記架構に対する前記仮設支柱の支持解除に伴って緊張させることにより、該架構脚部の外側への変位をそれぞれ規制する。
【０００８】
第１態様に係る架構の施工方法によれば、架構の中間部を仮設支柱によって支持しながら架構を施工する。その後、架構に対する仮設支柱の支持を解除する。この際、両側の架構脚部に外側へ向かうスラスト力がそれぞれ発生し、これらの架構脚部が外側へ開こうとする。
【０００９】
この対策として、架構に対する仮設支柱の支持解除に伴って、両側の架構脚部を連結する引張材を緊張させることにより、これらの架構脚部の外側への変位を規制する。これにより、架構に対する仮設支柱の支持解除に伴う両側の架構脚部の開きが抑制される。したがって、架構の仕上げ材や架構脚部を支持する支持部の破損等が抑制される。
【００１０】
第２態様に係る架構の施工方法は、第１態様に係る架構の施工方法において、前記引張材は、前記架構脚部間に配置されたＰＣ連結梁を軸方向に圧縮させた状態で該ＰＣ連結梁の両端部に固定されると共に、両端側が前記架構脚部にそれぞれ貫通され、前記仮設支柱の支持解除に伴い、両側の前記架構脚部に対して前記引張材の両端側を外側へそれぞれ引っ張ることにより該架構脚部の外側への変位を規制すると共に、前記ＰＣ連結梁を軸方向に伸長させた状態で前記ＰＣ連結梁の両端部と前記架構脚部とをそれぞれ接合する。
【００１１】
第２態様に係る架構の施工方法によれば、引張材は、両側の架構脚部間に配置されたＰＣ連結梁を軸方向に圧縮させた状態で当該ＰＣ連結梁の両端部に固定されており、この状態で、その両端側が両側の架構脚部にそれぞれ貫通される。
【００１２】
そして、架構に対する仮設支柱の支持解除に伴い、両側の架構脚部に対して引張材の両端側を架構脚部の外側へそれぞれ引っ張る。これにより、架構脚部の外側への変位が規制される。
【００１３】
また、両側の架構脚部に対して引張材の両端側をそれぞれ外側へ引っ張ると、引張材が伸長する。この結果、圧縮されていたＰＣ連結梁が軸方向に伸長し、両側の架構脚部とＰＣ連結梁の両端部との隙間が狭くなる。この状態で、両側の架構脚部とＰＣ連結梁の両端部とをそれぞれ接合し、両側の架構脚部をＰＣ連結梁によって連結する。
【００１４】
このように両側の架構脚部をＰＣ連結梁によって連結することにより、両側の架構脚部に発生するスラスト力に対してＰＣ連結梁が抵抗する。これにより、架構に対する仮設支柱の支持解除に伴う架構脚部の開きがより確実に抑制される。
【００１５】
また、引張材は、ＰＣ連結梁を軸方向に圧縮させた状態で当該ＰＣ連結梁の両端部に固定されている。つまり、引張材によって、ＰＣ連結梁にプレストレスが導入されている。このＰＣ連結梁によって両側の架構脚部を連結することにより、例えば、地震時にＰＣ連結梁にスラスト力が作用した場合であっても、ＰＣ連結梁のひび割れ等が抑制される。したがって、架構の耐震性能が向上する。
【発明の効果】
【００１６】
以上説明したように、本発明に係る架構の施工方法によれば、架構に対する仮設支柱の支持解除に伴う架構の両側の架構脚部の開きを抑制することができる。
【図面の簡単な説明】
【００１７】
【図１】本発明の一実施形態に係る架構の施工方法によって施工されたアーチ状架構を示す立面図である。
【図２】図１に示されるＰＣ連結梁の設置工程を説明する立面図である。
【図３】図２に示されるＰＣ連結梁にプレストレスを導入する手順を説明する立面図である。
【図４】図３に示される引張材の両端側を両側の架構脚部にそれぞれ貫通させる手順を説明する立面図である。
【図５】図４に示される架構脚部のＰＣ連結梁と反対側に緊張ジャッキを設置した状態を示す立面図である。
【図６】図５に示される引張材の両端側を緊張ジャッキによって外側へ引っ張る手順を説明する拡大立面図である。
【発明を実施するための形態】
【００１８】
以下、図面を参照しながら本発明の一実施形態に係る架構の施工方法について説明する。
【００１９】
図１には、本実施形態に係る架構の施工方法によって施工されたアーチ状架構２０を備える構造物１０が示されている。構造物１０は、例えば、コンサートホールや各種イベント等を行う多目的ホール、体育館、競技場等のように、内部に大空間を有する施設とされる。
【００２０】
構造物１０は、基礎１２と、基礎１２上に建てられるアーチ状架構２０と、アーチ状架構２０の両側の架構脚部２０Ｌをそれぞれ支持する架構用免震装置２６と、アーチ状架構２０の両側の架構脚部２０Ｌを連結するＰＣ連結梁３０と、ＰＣ連結梁３０を支持する複数の連結梁用免震装置３２とを備えている。
【００２１】
基礎１２は、地盤Ｇを掘り下げて形成されている。この基礎１２は、基礎スラブ１２Ａと、基礎スラブ１２Ａの外周部から立ち上げられた擁壁１２Ｂとを有している。この基礎スラブ１２Ａ上には、後述する複数の架構用免震装置２６及び連結梁用免震装置３２が設置されている。
【００２２】
架構の一例としてのアーチ状架構２０は、その下側（内側）に大空間を形成する屋根架構とされている。このアーチ状架構２０は、上側へ凸状に湾曲したアーチ状に形成されており、図示しない折板や屋根膜等の屋根材を支持している。また、アーチ状架構２０は、軸方向に分割された複数の分割ユニット２２を有し、後述するベント工法によって施工される。
【００２３】
アーチ状架構２０の端部（下端部）２０Ｔには、脚部基礎２４が設けられている。脚部基礎２４は、例えば、鉄筋コンクリート造とされており、架構用免震装置２６に固定されている。このアーチ状架構２０の端部２０Ｔ及び脚部基礎２４によって、架構脚部２０Ｌが形成されている。つまり、本実施形態に係る架構脚部２０Ｌとは、アーチ状架構２０の端部２０Ｔだけでなく、脚部基礎２４も含む概念である。
【００２４】
また、アーチ状架構２０の中間部２０Ｍとは、両側の架構脚部２０Ｌを繋ぐ部位であり、アーチ状架構２０の施工時に、後述する複数の仮設支柱５０Ａ，５０Ｂによって仮支持される。なお、脚部基礎２４は、必要に応じて設ければ良く、適宜省略可能である。
【００２５】
アーチ状架構２０の両側の架構脚部２０Ｌは、架構用免震装置２６を介して基礎１２に支持されている。架構用免震装置２６は、基礎スラブ１２Ａにおける両側にそれぞれ設置されている。これらの架構用免震装置２６は、積層ゴム支承とされている。なお、架構用免震装置２６は、積層ゴム支承に限らず、滑り支承や転がり支承であっても良い。
【００２６】
架構用免震装置２６は、図示しないアンカー等によって基礎スラブ１２Ａに固定されている。これらの架構用免震装置２６にアーチ状架構２０の両側の架構脚部２０Ｌをそれぞれ固定することにより、各架構脚部２０Ｌが基礎１２に対して水平方向に変位可能に支持されている。換言すると、架構用免震装置２６によって、両側の架構脚部２０Ｌが互いの対向方向に相対変位可能に支持されている。
【００２７】
また、アーチ状架構２０の両側の架構脚部２０Ｌは、ＰＣ連結梁（アーチタイ）３０によって連結されている。具体的には、ＰＣ連結梁３０は、両側の脚部基礎２４の間に配置されており、その軸方向の両端部３０Ｔが両側の脚部基礎２４にそれぞれ接合されている。このＰＣ連結梁３０は、複数（本実施形態では、２つの）の連結梁用免震装置３２を介して基礎１２に支持されている。
【００２８】
各連結梁用免震装置３２は、架構用免震装置２６と同様に、積層ゴム支承とされており、図示しないアンカー等によってＰＣ連結梁３０及び基礎スラブ１２Ａに固定されている。これらの連結梁用免震装置３２によって、ＰＣ連結梁３０が基礎１２に対して水平方向に変位可能に支持されている。なお、連結梁用免震装置３２は、積層ゴム支承に限らず、滑り支承や転がり支承であっても良い。また、連結梁用免震装置３２は、適宜省略可能である。
【００２９】
また、ＰＣ連結梁３０には、その軸方向に沿って配置された引張材４０によってプレストレスが導入されている。具体的には、ＰＣ連結梁３０には、軸方向に沿った貫通孔３４（図６参照）が形成されている。この貫通孔３４に、引張材４０が挿入されている。
【００３０】
引張材４０は、ＰＣ鋼線、ＰＣ鋼棒等の引張線材によって形成されている。この引張材４０は、緊張された状態でその両端側４０Ｔが定着具４２（図６参照）によってＰＣ連結梁３０の両端部３０Ｔにそれぞれ固定（係止）されている。これにより、ＰＣ連結梁３０にプレストレスが導入されている。
【００３１】
また、引張材４０の両端側４０Ｔは、両側の脚部基礎２４に形成された貫通孔２８（図６参照）にそれぞれ挿入されている。この引張材４０の両端側４０Ｔは、緊張された状態で、両側の脚部基礎２４におけるＰＣ連結梁３０と反対側の外側面２４Ａに定着具４４によってそれぞれ固定（係止）されている。これにより、両側の架構脚部２０Ｌが、引張材４０によって連結されている。
【００３２】
また、両側の脚部基礎２４とＰＣ連結梁３０の両端部３０Ｔとの隙間Ｓには、充填材６０がそれぞれ充填されている。これにより、両側の脚部基礎２４とＰＣ連結梁３０の両端部３０Ｔとがそれぞれ接合されており、両側の脚部基礎２４がＰＣ連結梁３０によって連結されている。そして、矢印Ｋで示されるように、ＰＣ連結梁３０及び引張材４０が両側の脚部基礎２４に作用するスラスト力Ｆに対して抵抗することにより、スラスト力Ｆに起因する両側の架構脚部２０Ｌの外側への開きが抑制されている。
【００３３】
次に、アーチ状架構２０の施工方法の一例について説明する。なお、以下で参照する各図では、理解を容易にするために、引張材４０、ＰＣ連結梁３０、及び連結梁用免震装置３２等の変形状態を誇張して示している。
【００３４】
図２に示されるように、先ず、地盤Ｇを掘り下げて基礎１２を構築すると共に、基礎１２の基礎スラブ１２Ａ上に架構用免震装置２６及び連結梁用免震装置３２を設置する。
【００３５】
次に、架構用免震装置２６上に、アーチ状架構２０の架構脚部２０Ｌとなる脚部基礎２４を構築し、当該脚部基礎２４を架構用免震装置２６に固定する。また、複数の連結梁用免震装置３２上にＰＣ連結梁３０を設置し、当該ＰＣ連結梁３０を複数の連結梁用免震装置３２にそれぞれ固定する。
【００３６】
次に、図３に示されるように、ベント工法によってアーチ状架構２０を施工する。具体的には、地盤Ｇ上に、脚部基礎２４と隣接する仮設支柱５０Ａを仮設し、これらの脚部基礎２４と仮設支柱５０Ａとにアーチ状架構２０を形成する分割ユニット２２を架設する。
【００３７】
ここで、仮設支柱５０Ａの上端部には、昇降ジャッキ５２が設けられており、この昇降ジャッキ５２を介して分割ユニット２２が仮設支柱５０Ａに支持されている。これと同様に、後述する仮設支柱５０Ｂの上端部にも昇降ジャッキ５２がそれぞれ設けられている。なお、昇降ジャッキ５２は、仮設支柱５０Ａ，５０Ｂの上端部に限らず、中間部や下端部に設けても良い。
【００３８】
また、上記分割ユニット２２の施工に並行して、ＰＣ連結梁３０にプレストレスを導入する。具体的には、ＰＣ連結梁３０の貫通孔３４（図６参照）に引張材４０をスライド可能に挿入する。そして、ＰＣ連結梁３０の両端部３０Ｔに設置された緊張ジャッキ５４によって、引張材４０の両端側４０Ｔを脚部基礎２４側（矢印ａ方向）へ引っ張ることにより緊張させる。
【００３９】
この状態で、引張材４０の両端側４０Ｔを定着具４２（図４参照）によってＰＣ連結梁３０の両端部３０Ｔに固定する。これにより、ＰＣ連結梁３０が軸方向に圧縮された状態で保持される。つまり、ＰＣ連結梁３０にプレストレスが導入される。また、ＰＣ連結梁３０の軸方向の圧縮変形に追従して、各連結梁用免震装置３２がＰＣ連結梁３０の中央部へ向けて僅かにせん断変形する。
【００４０】
なお、ＰＣ連結梁３０には、例えば、アーチ状架構２０の長期荷重に起因するスラスト力と、地震荷重に起因するスラスト力との合計値以上のプレストレス（圧縮軸力）が導入される。これにより、地震時におけるＰＣ連結梁３０のひび割れ等が抑制される。
【００４１】
次に、図４に示されるように、地盤Ｇ上に仮設支柱５０Ａに隣接する仮設支柱５０Ｂを仮設し、これらの仮設支柱５０Ａ，５０Ｂに分割ユニット２２を架設する。そして、隣接する分割ユニット２２同士を接合する。また、これに並行して、引張材４０の両端側４０Ｔを、両側の脚部基礎２４にそれぞれ貫通させる。
【００４２】
具体的には、両側の脚部基礎２４の貫通孔２８（図６参照）に延長用引張材４６をそれぞれスライド可能に挿入し、継手５６を介して引張材４０の両端部とそれぞれ接続する。これにより、延長された引張材４０の両端側４０Ｔが、両側の脚部基礎２４にそれぞれ貫通される。
【００４３】
次に、図５に示されるように、隣接する仮設支柱５０Ｂに分割ユニット２２を架設し、当該分割ユニット２２とその両側の分割ユニット２２とを接合する。これにより、上側へ凸状に湾曲するアーチ状架構２０が形成される。また、これに並行して、両側の脚部基礎２４におけるＰＣ連結梁３０と反対側に、緊張ジャッキ５８をそれぞれ設置する。
【００４４】
次に、図６に矢印ｂで示されるように、アーチ状架構２０を支持する仮設支柱５０Ａ，５０Ｂの昇降ジャッキ５２を徐々に下げ（ジャッキダウンし）、アーチ状架構２０の自重を両側の架構脚部２０Ｌへ流すことにより、アーチ状架構２０を自立させる。
【００４５】
この際に、両側の架構脚部２０Ｌには、外側へ向かうスラスト力Ｆがそれぞれ発生する。このスラスト力Ｆによって両側の架構脚部２０Ｌが外側へ開くと、アーチ状架構２０の仕上げ材が破損したり、架構脚部２０Ｌを支持する架構用免震装置２６がせん断変形したりする可能性がある。
【００４６】
この対策として本実施形態では、昇降ジャッキ５２のジャッキダウンに伴って、すなわちアーチ状架構２０に対する複数の仮設支柱５０Ａ，５０Ｂの支持解除に伴って、引張材４０を緊張させることにより、両側の架構脚部２０Ｌの外側への変位をそれぞれ規制する。
【００４７】
具体的には、スラスト力Ｆによる両側の脚部基礎２４の外側への変位量に応じて、矢印ｃで示されるように、各緊張ジャッキ５８により両側の脚部基礎２４に対して引張材４０の両端側４０Ｔを外側へそれぞれ引っ張る。換言すると、各緊張ジャッキ５８により、脚部基礎２４の外側面２４Ａに反力を取って引張材４０の両端側４０Ｔを外側へそれぞれ引っ張る。また、見方を変えると、各緊張ジャッキ５８により、引張材４０の両端側４０Ｔに対して両側の脚部基礎２４をＰＣ連結梁３０側へそれぞれ押圧する。
【００４８】
これにより、アーチ状架構２０に対する仮設支柱５０Ａ，５０Ｂの支持解除に伴う両側の脚部基礎２４の外側への変位が規制され、架構用免震装置２６のせん断変形が抑制される。この状態で、引張材４０の両端側４０Ｔを定着具４４（図１参照）によって両側の脚部基礎２４の外側面２４Ａにそれぞれ固定する。
【００４９】
また、両側の脚部基礎２４に対して引張材４０の両端側４０Ｔを外側へそれぞれ引っ張ると、引張材４０が伸長する。この引張材４０の伸長に追従して、引張材４０をＰＣ連結梁３０の両端部３０Ｔに固定する定着具４２が両側の脚部基礎２４側へそれぞれ移動する。
【００５０】
この結果、圧縮されていたＰＣ連結梁３０が軸方向に伸長し（矢印ｅ）、ＰＣ連結梁３０と脚部基礎２４との隙間Ｓが狭くなる。また、ＰＣ連結梁３０の軸方向の伸長に連結梁用免震装置３２が追従し、当該連結梁用免震装置３２のせん断変形量が小さくなる。
【００５１】
この状態で、図１に示されるように、隙間Ｓにモルタル、グラウト等の充填材６０を充填し、ＰＣ連結梁３０の両端部３０Ｔをその両側の脚部基礎２４にそれぞれ接合する。これにより、ＰＣ連結梁３０によって、両側の架構脚部２０Ｌが連結される。その後、仮設支柱５０Ａ，５０Ｂを適宜撤去する。
【００５２】
なお、ＰＣ連結梁３０の軸方向の伸長に伴い、アーチ状架構２０の長期荷重に起因するスラスト力分のプレストレスがＰＣ連結梁３０から抜ける。この結果、ＰＣ連結梁３０には、地震荷重に起因するスラスト力分のプレストレスが導入された状態となる。
【００５３】
このように本実施形態に係る架構の施工方法によれば、アーチ状架構２０に対する仮設支柱５０Ａ，５０Ｂの支持解除に伴い、両側の架構脚部２０Ｌに対して引張材４０の両端側４０Ｔを外側へそれぞれ引っ張ることにより、両側の架構脚部２０Ｌの外側への変位が規制される。これにより、アーチ状架構２０に対する仮設支柱５０Ａ，５０Ｂの支持解除に伴う両側の架構脚部２０Ｌの開きが抑制される。
【００５４】
これにより、アーチ状架構２０の仕上げ材や架構用免震装置２６のせん断変形等が抑制される。また、両側の架構脚部２０Ｌの開きに伴ってアーチ状架構２０に発生する曲げモーメントが低減される。したがって、アーチ状架構２０の部材断面や、アーチ状架構２０に対する曲げ補強等が低減される。
【００５５】
また、両側の架構脚部２０ＬをＰＣ連結梁３０によって連結することにより、引張材４０だけでなくＰＣ連結梁３０も両側の架構脚部２０Ｌに発生するスラスト力Ｆに対して抵抗する。これにより、両側の架構脚部２０Ｌの開きがより確実に抑制される。
【００５６】
さらに、引張材４０は、ＰＣ連結梁３０を軸方向に圧縮させた状態で当該ＰＣ連結梁３０の両端部３０Ｔに固定されている。つまり、引張材４０によって、ＰＣ連結梁３０にプレストレスが導入されている。このＰＣ連結梁３０によって両側の架構脚部２０Ｌを連結することにより、例えば、地震時にＰＣ連結梁３０にスラスト力が作用した場合であっても、ＰＣ連結梁３０のひび割れ等が抑制される。したがって、アーチ状架構２０の耐震性能が向上する。
【００５７】
次に、上記実施形態の変形例について説明する。
【００５８】
上記実施形態では、ポストテンション方式によってＰＣ連結梁３０にプレストレスを導入した例を示したが、プレテンション方式によってＰＣ連結梁３０にプレストレスを導入しても良い。また、工場等において予めプレストレスを導入されたＰＣ連結梁３０によって、両側の架構脚部２０Ｌを連結しても良い。
【００５９】
また、上記実施形態では、架構脚部２０Ｌに対するＰＣ連結梁３０と反対側に緊張ジャッキ５８を設置して引張材４０を緊張させた例を示したが、これに限らない。例えば、架構脚部２０ＬとＰＣ連結梁３０との間に緊張ジャッキを設置して引張材４０を緊張させても良い。
【００６０】
また、上記実施形態では、ＰＣ連結梁３０の軸方向の伸縮に追従して連結梁用免震装置３２がせん断変形する例を示したが、これに限らない。例えば、ＰＣ連結梁３０と連結梁用免震装置３２との間に滑り材等を介在させ、ＰＣ連結梁３０の軸方向の伸縮に連結梁用免震装置３２を追従させないようにしても良い。これにより、連結梁用免震装置３２のせん断変形量が小さくなる。なお、この場合は、ＰＣ連結梁３０の軸方向を伸縮させた後に、ＰＣ連結梁３０を各連結梁用免震装置３２に固定すれば良い。
【００６１】
また、例えば、ＰＣ連結梁３０の軸方向の伸縮量に応じて連結梁用免震装置３２を予めせん断変形させておくことにより、ＰＣ連結梁３０の軸方向の伸縮に伴う連結梁用免震装置３２のせん断変形を吸収しても良い。
【００６２】
また、上記実施形態では、ＰＣ連結梁３０にプレストレスを導入した例を示したが、両側の架構脚部２０Ｌを連結する連結梁には必ずしもプレストレスを導入しなくても良い。また、両側の架構脚部２０Ｌは、例えば、鉄骨造やトラス構造の連結梁等によって連結しても良い。さらに、ＰＣ連結梁３０は必要に応じて設ければ良く、適宜省略可能である。
【００６３】
なお、ＰＣ連結梁３０を省略した場合は、例えば、両側の架構脚部２０Ｌを引張材４０で連結し、昇降ジャッキ５２のジャッキダウンに伴って当該引張材４０を緊張させることにより、両側の架構脚部２０Ｌの開きを抑制することができる。この場合は、例えば、両側の架構脚部２０Ｌの間（内側）で引張材４０を緊張させても良いし、上記実施形態と同様に、両側の架構脚部２０Ｌの外側で引張材４０を緊張させても良い。
【００６４】
また、上記実施形態では、両側の架構脚部２０Ｌを架構用免震装置２６によって支持した例を示したが、これに限らない。例えば、両側の架構脚部２０Ｌを柱でそれぞれ支持しても良い。この場合、柱が左右に傾倒することにより、両側の架構脚部２０Ｌが水平方向に変位可能に支持される。
【００６５】
また、上記実施形態では、両側の架構脚部２０Ｌを水平方向に変位可能に支持した例を示したが、両側の架構脚部２０Ｌは少なくとも外側へ変位可能に支持されていれば良い。換言すると、両側の架構脚部２０Ｌは、少なくとも互いに離れる方向へ変位可能に支持されていれば良い。
【００６６】
また、上記実施形態では、アーチ状架構２０を施工した例を示したが、これに限らない。上記実施形態は、両側の架構脚部にスラスト力が発生する種々の架構に対して適用可能であり、例えば、立面視にて上側に凸を成す略三角形状の架構や略台形状の架構、ドーム状の架構にも適宜適用可能である。
【００６７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６８】
２０    アーチ状架構（架構）
２０Ｌ  架構脚部
２０Ｍ  中間部（架構の中間部）
３０    ＰＣ連結梁
４０    引張材
４０Ｔ  両端側（引張材の両端側）
５０Ａ  仮設支柱
５０Ｂ  仮設支柱
【図１】
0006663639.tif 000002
【図２】
0006663639.tif 000003
【図３】
0006663639.tif 000004
【図４】
0006663639.tif 000005
【図５】
0006663639.tif 000006
【図６】
0006663639.tif 000007